(57)【要約】  実施形態の直流電流遮断装置は、第１端側に存在する第１交直変換器によって変換された直流電力、又は前記第１端側とは異なる第２端側に存在する第２交直変換器によって変換された直流電力が供給される直流系統の電流を遮断する直流電流遮断装置であり、第１直流母線と、第２直流母線と、一以上の第１直流電流遮断器と、一以上の第２直流電流遮断器と、一以上の断路器とを持つ。前記第１直流電流遮断器と、前記断路器と、前記第２直流電流遮断器とは、前記第１直流母線と、前記第２直流母線との間に、前記第１直流電流遮断器と、前記断路器と、前記第２直流電流遮断器の順によって直列に接続される。前記第１交直変換器の直流電力出力端は、前記第１直流電流遮断器と、前記断路器との接続点に接続される。前記第２交直変換器の直流電力出力端は、前記第２直流電流遮断器と、前記断路器との接続点に接続される。
2020213027.tif 000002
【特許請求の範囲】
【請求項１】
第１端側に存在する第１交直変換器によって変換された直流電力、又は前記第１端とは異なる第２端側に存在する第２交直変換器によって変換された直流電力が供給される直流系統の電流を遮断する直流電流遮断装置であり、
第１直流母線と、
第２直流母線と、
一以上の第１直流電流遮断器と、
一以上の第２直流電流遮断器と、
一以上の断路器とを備え、
前記第１直流電流遮断器と、前記断路器と、前記第２直流電流遮断器とは、前記第１直流母線と、前記第２直流母線との間に、前記第１直流電流遮断器と、前記断路器と、前記第２直流電流遮断器の順によって直列に接続され、
前記第１交直変換器の直流電力出力端は、前記第１直流電流遮断器と、前記断路器との接続点に接続され、
前記第２交直変換器の直流電力出力端は、前記第２直流電流遮断器と、前記断路器との接続点に接続される、
直流電流遮断装置。
【請求項２】
前記第１直流電流遮断器と、前記断路器との接続点と、前記断路器との間、又は前記第２直流電流遮断器と、前記断路器との接続点と、前記断路器との間に、直流電流遮断器が直列に更に接続される、
請求項１に記載の直流電流遮断装置。
【請求項３】
前記第１直流母線と、前記第１直流電流遮断器との間、又は前記第２直流母線と、前記第２直流電流遮断器との間に、断路器が直列に更に接続される、
請求項１又は請求項２に記載の直流電流遮断装置。
【請求項４】
前記直流系統の電流を遮断しない場合において、
前記第１直流電流遮断器、及び前記第２直流電流遮断器は、閉状態に制御され、
前記断路器は、開状態に制御され、
前記直流系統の電流を遮断する場合において、
前記第１直流電流遮断器と、前記第２直流電流遮断器とのうち、事故が発生している前記直流系統に電気的に近い位置に接続される直流電流遮断器が開状態に制御される、
請求項１から請求項３のうちいずれか一項に記載の直流電流遮断装置。
【請求項５】
前記第１直流電流遮断器と、前記第２直流電流遮断器とのうち、点検対象の直流電流遮断器の点検時において、
前記点検対象の直流電流遮断器に係る前記断路器は、閉状態に制御され、
前記点検対象の直流電流遮断器は、前記断路器が閉状態に制御された後、開状態に制御される、
請求項１から請求項４のうちいずれか一項に記載の直流電流遮断装置。
【請求項６】
前記第１直流電流遮断器、又は前記第２直流電流遮断器は、多端子型直流電流遮断器であり、
半導体遮断器と、前記多端子型直流電流遮断器が遮断する直流系統毎の構成要素とを備え、
前記構成要素には、
一以上の電流遮断器と、転流回路と、ダイオードと、一以上の第１断路器と、一以上の第２断路器とが含まれ、
前記第１断路器は、前記第１直流母線、又は前記第２直流母線に第１端が接続され、
前記第２断路器は、前記断路器に第２端が接続され、
前記電流遮断器は、前記第１断路器の第２端と、前記第２断路器の第１端とを接続する第１線路に設けられ、
前記転流回路は、前記第１線路における前記第１断路器と前記電流遮断器との間の箇所から分岐して前記第２断路器の第１端に接続される第２線路に設けられ、
前記半導体遮断器および前記ダイオードは、前記第１断路器の第１端側と、前記第２線路における前記転流回路と前記第２断路器との間の箇所とを接続する第３線路に直列に設けられる、
請求項１から請求項５のうちいずれか一項に記載の直流電流遮断装置。
【請求項７】
前記直流系統の電流を遮断する場合において、遮断対象の前記直流系統に対応する前記転流回路を動作させ、前記半導体遮断器に電流を遷移させ、前記電流が遷移された後、前記転流回路を停止させ、前記半導体遮断器によって前記直流系統の電流が遮断された後に、遮断対象の前記直流系統に対応する前記電流遮断器を開状態に制御する制御部を更に備える、
請求項６に記載の直流電流遮断装置。
【請求項８】
前記直流系統の電流を遮断しない場合において、
前記電流遮断器は、閉状態に制御され、
前記第１断路器、及び前記第２断路器は、閉状態に制御される、
請求項６又は請求項７に記載の直流電流遮断装置。
【請求項９】
前記第１直流電流遮断器と、前記第２直流電流遮断器とのうち、点検対象の直流電流遮断器の点検時において、
前記点検対象の前記電流遮断器に係る前記断路器は、閉状態に制御され、
前記点検対象の前記電流遮断器と、前記点検対象の前記電流遮断器に係る前記第１断路器と、前記第２断路器とは、前記断路器が閉状態に制御された後、開状態に制御される、
請求項６から請求項８のうちいずれか一項に記載の直流電流遮断装置。
【発明の詳細な説明】
【技術分野】
【０００１】
本発明の実施形態は、直流電流遮断装置に関する。
【背景技術】
【０００２】
近年、直流送電システムの検討、及び導入が進められている。直流送電システムは、従来の交流送電システムに比べ、長距離大電力送電に適用した場合に低コストで設置可能であり、送電損失が少ない高効率システムを構築することが可能である。一方、直流送電システムは、系統事故の発生した箇所を遮断や隔離することが難しいという課題がある。これを解決するため、様々な直流電流遮断装置が検討されている。【０００３】
しかしながら、従来の技術における直流送電遮断装置では、直流電流遮断器の点検時に、交直変換器を停止する必要があった。交直変換器が停止されると、直流送電システムによる送電、及び受電が停止されるため、需要家への電力供給が断たれたり、エネルギーの有効活用の機会を逸したりしてしまう場合があった。
【先行技術文献】
【特許文献】
【０００４】
【特許文献１】特開２０１６−１６２７１３号公報
【０００５】
本発明は、送電を継続したまま保守点検をすることができる直流送電遮断装置を提供することを目的とする。
【発明の概要】
【発明が解決しようとする課題】
【０００６】
本発明が解決しようとする課題は、送電を継続したまま保守点検をすることができる直流電流遮断装置を提供することである。
【課題を解決するための手段】
【０００７】
実施形態の直流電流遮断装置は、第１端側に存在する第１交直変換器によって変換された直流電力、又は前記第１端とは異なる第２端側に存在する第２交直変換器によって変換された直流電力が供給される直流系統の電流を遮断する直流電流遮断装置であり、第１直流母線と、第２直流母線と、一以上の第１直流電流遮断器と、一以上の第２直流電流遮断器と、一以上の断路器とを持つ。前記第１直流電流遮断器と、前記断路器と、前記第２直流電流遮断器とは、前記第１直流母線と、前記第２直流母線との間に、前記第１直流電流遮断器と、前記断路器と、前記第２直流電流遮断器の順によって直列に接続される。前記第１交直変換器の直流電力出力端は、前記第１直流電流遮断器と、前記断路器との接続点に接続される。前記第２交直変換器の直流電力出力端は、前記第２直流電流遮断器と、前記断路器との接続点に接続される。
【図面の簡単な説明】
【０００８】
【図１】第１の実施形態の直流電流遮断装置１０の構成の一例を示す図である。
【図２】第１の実施形態に係る直流電流遮断装置１０が遮断状態である場合の構成の一例を示す図である。
【図３】第１の実施形態に係る直流電流遮断装置１０が、点検状態である場合の構成の一例を示す図である。
【図４】直流電流遮断装置１０の他の構成の一部分を示す図である。
【図５】第２の実施形態に係る直流電流遮断装置１０ａの構成の一例を示す図である。
【図６】第２多端子型直流電流遮断器５０ｂの構成の一例を示す図である。
【図７】転流回路８０ｂの構成の一例を示す図である。
【図８】半導体遮断器９０ｂの構成の一例を示す図である。
【図９】遮断状態の第２多端子型直流電流遮断器５０ｂの構成の一例を示す図である。
【図１０】スイッチング素子がオンの状態に制御された転流回路８０ｂの動作を模式的に示す図である。
【図１１】第２状態の第２多端子型直流電流遮断器５０ｂの構成の一例を示す図である。
【図１２】閉状態に制御された半導体遮断器９０ｂの動作の一例を模式的に示す図である。
【図１３】第３状態の第２多端子型直流電流遮断器５０ｂの構成の一例を示す図である。
【図１４】転流回路８０ｂの他の構成の一例を示す図である。
【図１５】２回線送電以外の場面における直流電流遮断装置１０ａの構成の一例を示す図である。
【発明を実施するための形態】
【０００９】
以下、実施形態の直流電流遮断装置を、図面を参照して説明する。
【００１０】
（第１の実施形態）
［直流電流遮断装置１０の構成］
図１は、第１の実施形態の直流電流遮断装置１０の構成の一例を示す図である。本図は単結図で記載しており、以降も基本的に単結図で示す。本実施形態において、交直変換器ＣＶ１の直流端子ＣＮ１と、直流電流遮断装置１０とが接続され、直流電流遮断装置１０と、交直変換器ＣＶ２とが、直流送電線路ＬＮ１、及び直流送電線路ＬＮ２によって接続され、直流電流遮断装置１０と、交直変換器ＣＶ３とが、直流送電線路ＬＮ３と、直流送電線路ＬＮ４とによって接続される。直流送電線路ＬＮによって供給される直流電力は、例えば、数十〜数百［ｋＶ］程度の電圧の電力である。以降の説明において、直流送電線路ＬＮ１〜ＬＮ４を互いに区別しない場合には、直流送電線路ＬＮとも記載し、交直変換器ＣＶ１〜ＣＶ３を互いに区別しない場合には、交直変換器ＣＶとも記載する。
【００１１】
直流電流遮断装置１０は、交直変換器ＣＶを接続する直流送電線路ＬＮを電気的に導通させ、又は遮断する装置であり、直流送電線路ＬＮを電気的に導通させつつ、直流電流遮断装置１０が備える直流電流遮断器を点検可能にする装置である。
【００１２】
以下、直流電流遮断装置１０が、交直変換器ＣＶ１に電気的に近く、交直変換器ＣＶ２、及び交直変換器ＣＶ３から電気的に遠い位置（つまり、直流送電線路ＬＮの交直変換器ＣＶ１側の端部）に設置されるものとして説明する。また、以降の説明において、直流電流遮断装置１０の構成のうち、交直変換器ＣＶ１に電気的に近い構成には、「ａ」を付し、直流送電線路ＬＮに電気的に近い構成には、「ｂ」を付す。
【００１３】
なお、直流電流遮断装置１０が、交直変換器ＣＶ２や交直変換器ＣＶ３に電気的に近く、交直変換器ＣＶ１から電気的に遠い位置（つまり、直流送電線路ＬＮの交直変換器ＣＶ２や交直変換器ＣＶ３側の端部）に設置される場合には、交直変換器ＣＶ１と、交直変換器ＣＶ２、或いは交直変換器ＣＶ３とを読み替え、且つ末尾に付された符号の「ａ」と「ｂ」とを読み替えればよい。
【００１４】
直流電流遮断装置１０は、例えば、第１直流母線２０ａと、第２直流母線２０ｂと、一以上の第１直流電流遮断器３０ａ（図示する第１直流電流遮断器３０ａ−１〜３０ａ−３）と、第１直流電流遮断器３０ａに応じた数の第２直流電流遮断器３０ｂ（図示する第２直流電流遮断器３０ｂ−１〜３０ｂ−３）と、第１直流電流遮断器３０ａに応じた数の断路器４０（図示する断路器４０−１〜４０−３）とを備える。第１直流電流遮断器３０ａ、断路器４０、及び第２直流電流遮断器３０ｂの数は、例えば、直流送電線路ＬＮの遮断に用いられる回路数（この一例では、３回路）に応じた数である。以降の説明において、３回路の各構成に係る構成を示す「１」、「２」、及び「３」の数値を、符号の末尾に「−」（ハイフン）を介して付して示す。なお、３回路の各構成を互いに区別しない場合には、「−」（ハイフン）を介して付すことを省略する。
【００１５】
第１直流電流遮断器３０ａと、断路器４０と、第２直流電流遮断器３０ｂとは、第１直流母線２０ａと、第２直流母線２０ｂとの間に、記載の順によって直列に接続される。具体的には、第１直流母線２０ａと、第１直流電流遮断器３０ａ−１〜３０ａ−３の第１端子とが接続され、第１直流電流遮断器３０ａ−１〜３０ａ−３の第２端子と、断路器４０−１〜４０−３の第１端子とが、それぞれ接続され、断路器４０−１〜４０−３の第２端子と、第２直流電流遮断器３０ｂ−１〜３０ｂ−３の第１端子とが、それぞれ接続され、第２直流電流遮断器３０ｂ−１〜３０ｂ−３の第２端子と、第２直流母線２０ｂとが接続される。
【００１６】
交直変換器ＣＶ１の直流端子ＣＮ１と直流電流遮断装置１０とは、一以上の配線ＷＲ１（図示する配線ＷＲ１１〜ＷＲ１２）によって接続される。具体的には、交直変換器ＣＶ１の直流端子ＣＮ１と、第１直流電流遮断器３０ａ−１と断路器４０−１との接続点とは、配線ＷＲ１１によって接続される。また、直流端子ＣＮ１と、断路器４０−２と第２直流電流遮断器３０ｂ−２との接続点とは、配線ＷＲ１２によって接続される。
【００１７】
直流送電線路ＬＮ１は、断路器４０−１と、第２直流電流遮断器３０ｂ−１との接続点に接続され、直流送電線路ＬＮ２は、第１直流電流遮断器３０ａ−２と、断路器４０−２との接続点に接続され、直流送電線路ＬＮ３は、第１直流電流遮断器３０ａ−３と、断路器４０−３との接続点に接続され、直流送電線路ＬＮ４は、断路器４０−３と、第２直流電流遮断器３０ｂ−３との接続点に接続される。
【００１８】
また、各直流送電線路ＬＮと、交直変換器ＣＶ２の直流端子ＣＮ２、又は交直変換器ＣＶ３の直流端子ＣＮ３は、直流電流遮断器を介して接続される。本実施形態では、直流送電線路ＬＮ１と直流端子ＣＮ２とは、第３直流電流遮断器３０ｃ−２を介して接続され、直流送電線路ＬＮ２と直流端子ＣＮ２とは、第３直流電流遮断器３０ｃ−１を介して接続され、直流送電線路ＬＮ３と直流端子ＣＮ３とは、第３直流電流遮断器３０ｃ−３を介して接続され、直流送電線路ＬＮ４と直流端子ＣＮ３とは、第３直流電流遮断器３０ｃ−４を介して接続される。
【００１９】
上述した構成により、交直変換器ＣＶ１と、交直変換器ＣＶ２との間の電力は、直流送電線路ＬＮ１、及び直流送電線路ＬＮ２の２回線送電によって送電され、交直変換器ＣＶ１と、交直変換器ＣＶ３との間の電力は、直流送電線路ＬＮ３、及び直流送電線路ＬＮ４の２回線送電によって送電される。
【００２０】
第１直流電流遮断器３０ａと、第２直流電流遮断器３０ｂと、第３直流電流遮断器３０ｃとは、制御装置（不図示）によってその開閉が制御される。なお、直流電流遮断装置１０が、制御装置の機能を有し、少なくとも第１直流電流遮断器３０ａ、及び第２直流電流遮断器３０ｂの開閉を制御してもよい。
【００２１】
なお、第１直流電流遮断器３０ａや、第２直流電流遮断器３０ｂは、複数の直流電流遮断器が直列に接続された構成によって実現されてもよい。この場合、複数の直流電流遮断器の開閉状態は、同期する。また、断路器４０は、複数の断路器が直列に接続された構成によって実現されてもよい。この場合、複数の断路器の開閉状態は、同期する。
【００２２】
［直流電流遮断装置１０の動作（通常状態→遮断）］
交直変換器ＣＶ１と、交直変換器ＣＶ２や交直変換器ＣＶ３とが電気的に導通されている状態（以下、通常状態）において、直流電流遮断装置１０が備える各部は以下のような状態となっている。
・第１直流電流遮断器３０ａ：閉状態
・断路器４０：開状態
・第２直流電流遮断器３０ｂ：閉状態
・第３直流電流遮断器３０ｃ：閉状態
【００２３】
通常状態において、交直変換器ＣＶ１と、交直変換器ＣＶ２との間は、直流端子ＣＮ１から、配線ＷＲ１１、第１直流電流遮断器３０ａ−１、第１直流母線２０ａ、第１直流電流遮断器３０ａ−２、直流送電線路ＬＮ２、第３直流電流遮断器３０ｃ−１、及び直流端子ＣＮ２を介して接続される。また、交直変換器ＣＶ１と、交直変換器ＣＶ２との間は、配線ＷＲ１２、第２直流電流遮断器３０ｂ−２、第２直流母線２０ｂ、第２直流電流遮断器３０ｂ−１、直流送電線路ＬＮ１、及び第３直流電流遮断器３０ｃ−２、及び直流端子ＣＮ２を介しても接続される。
【００２４】
また、通常状態において、交直変換器ＣＶ１と、交直変換器ＣＶ３との間は、直流端子ＣＮ１から、配線ＷＲ１１、第１直流電流遮断器３０ａ−１、第１直流母線２０ａ、第１直流電流遮断器３０ａ−３、直流送電線路ＬＮ３、第３直流電流遮断器３０ｃ−３、及び直流端子ＣＮ３を介して接続される。また、交直変換器ＣＶ１と、交直変換器ＣＶ３との間は、配線ＷＲ１２、第２直流電流遮断器３０ｂ−２、第２直流母線２０ｂ、第２直流電流遮断器３０ｂ−３、直流送電線路ＬＮ４、第３直流電流遮断器３０ｃ−４、及び直流端子ＣＮ３を介しても接続される。
【００２５】
図２は、第１の実施形態に係る直流電流遮断装置１０が、遮断状態である場合の構成の一例を示す図である。遮断状態とは、交直変換器ＣＶ１と、交直変換器ＣＶ２と、交直変換器ＣＶ３とのうち、いずれかの直流送電線路ＬＮを電気的に遮断させる状態である。遮断状態において、直流電流遮断装置１０が備える各部は以下のような状態となっている。
・第１直流電流遮断器３０ａ：閉状態（通常状態と同様）
・断路器４０：開状態
・遮断対象の直流送電線路ＬＮに最も近い第２直流電流遮断器３０ｂ：開状態
・その他の第２直流電流遮断器３０ｂ：閉状態（通常状態と同様）
・遮断対象の直流送電線路ＬＮに係る第３直流電流遮断器３０ｃ：開状態
・その他の第３直流電流遮断器３０ｃ：閉状態（通常状態と同様）
【００２６】
図２において、直流送電線路ＬＮ１に事故が生じているため、直流電流遮断装置１０の第２直流電流遮断器３０ｂ−１、及び第３直流電流遮断器３０ｃ−２が開状態に制御される。これにより、交直変換器ＣＶ１、及び交直変換器ＣＶ２との接続を遮断することができる。
【００２７】
［直流電流遮断装置１０の動作（点検時）］
図３は、第１の実施形態に係る直流電流遮断装置１０が、点検状態である場合の構成の一例を示す図である。点検状態とは、第１直流電流遮断器３０ａ、又は第２直流電流遮断器３０ｂを点検する状態である。点検状態において、直流電流遮断装置１０が備える各部は以下のような状態となっている。
・点検に係る第１直流電流遮断器３０ａ：開閉可能（無電流状態）
・その他の第１直流電流遮断器３０ａ：閉状態（通常状態と同様）
・点検に係る第２直流電流遮断器３０ｂ：開閉可能（無電流状態）
・その他の第２直流電流遮断器３０ｂ：閉状態（通常状態と同様）
・点検に係る第１直流電流遮断器３０ａ、又は第２直流電流遮断器３０ｂに接続される断路器４０：閉状態
・その他の断路器４０：開状態（通常状態と同様）
・第３直流電流遮断器３０ｃ：閉状態
【００２８】
なお、同一回路の第１直流電流遮断器３０ａ、及び第２直流電流遮断器３０ｂは、同時に点検されないものとする。
【００２９】
図３において、第２直流電流遮断器３０ｂ−１〜３０ｂ−３が点検対象の第２直流電流遮断器３０ｂであるため、断路器４０−１〜４０−３が閉状態に制御される。これにより、点検状態において、交直変換器ＣＶ１と、交直変換器ＣＶ２との間は、直流端子ＣＮ１から、配線ＷＲ１１、断路器４０−１、直流送電線路ＬＮ１、第３直流電流遮断器３０ｃ−２、及び直流端子ＣＮ２を介して接続される。また、交直変換器ＣＶ１と、交直変換器ＣＶ２との間は、直流端子ＣＮ１から配線ＷＲ１２、断路器４０−２、直流送電線路ＬＮ２、第３直流電流遮断器３０ｃ−１、及び直流端子ＣＮ２を介して、或いは、配線ＷＲ１１、第１直流電流遮断器３０ａ−１、第１直流母線２０ａ、第１直流電流遮断器３０ａ−２、直流送電線路ＬＮ２、第３直流電流遮断器３０ｃ−１、及び直流端子ＣＮ２を介しても接続される。
【００３０】
また、点検状態において、交直変換器ＣＶ１と、交直変換器ＣＶ３との間は、直流端子ＣＮ１から配線ＷＲ１１、第１直流電流遮断器３０ａ−１、第１直流母線２０ａ、第１直流電流遮断器３０ａ−３、直流送電線路ＬＮ３、第３直流電流遮断器３０ｃ−３、及び直流端子ＣＮ３を介して接続される。また、交直変換器ＣＶ１と、交直変換器ＣＶ３との間は、直流端子ＣＮ１から配線ＷＲ１１、第１直流電流遮断器３０ａ−１、第１直流母線２０ａ、第１直流電流遮断器３０ａ−３、断路器４０−３、直流送電線路ＬＮ４、第３直流電流遮断器３０ｃ−４、及び直流端子ＣＮ３を介しても接続される。
【００３１】
この時、点検対象の第２直流電流遮断器３０ｂ−１〜３０ｂ−３には、電流が流れないため、開状態、及び閉状態のいずれの状態にも制御可能であり、点検を行うことができる。また、図３の構成において、直流電流遮断装置１０が点検状態に制御された場合であっても、第１直流電流遮断器３０ａ−１〜３０ａ−２、及び第１直流母線２０ａには、直流送電線路ＬＮ１、及び直流送電線路ＬＮ２の２回線分の電流が流れないため、点検状態に伴う電流値を考慮して第１直流電流遮断器３０ａを設計することが求められない。ただし、点検状態において、直流送電線路ＬＮに事故が発生した場合、直流送電線路ＬＮと、交直変換器ＣＶ１とを遮断するために交直変換器ＣＶ１が停止される。
【００３２】
図４は、直流電流遮断装置１０の他の構成の一部分を示す図である。図４において、配線ＷＲ１２は、断路器４０−１と第２直流電流遮断器３０ｂ−１との間に接続される。この場合、点検状態において、交直変換器ＣＶ１と、交直変換器ＣＶ２との間は、直流端子ＣＮ１から配線ＷＲ１１、第１直流電流遮断器３０ａ−１、第１直流母線２０ａ、第１直流電流遮断器３０ａ−２、断路器４０−２、直流送電線路ＬＮ１、第３直流電流遮断器３０ｃ−２、及び直流端子ＣＮ２を介して、或いは、配線ＷＲ１２、断路器４０−１、第１直流電流遮断器３０ａ−１、第１直流母線２０ａ、第１直流電流遮断器３０ａ−２、断路器４０−２、直流送電線路ＬＮ１、及び第３直流電流遮断器３０ｃ−２を介して接続される。
【００３３】
また、交直変換器ＣＶ１と、交直変換器ＣＶ２との間は、直流端子ＣＮ１から、配線ＷＲ１１、第１直流電流遮断器３０ａ−１、第１直流母線２０ａ、第１直流電流遮断器３０ａ−２、直流送電線路ＬＮ２、第３直流電流遮断器３０ｃ−１、及び直流端子ＣＮ２を介して、或いは、配線ＷＲ１２、断路器４０−１、第１直流電流遮断器３０ａ−１、第１直流母線２０ａ、第１直流電流遮断器３０ａ−２、直流送電線路ＬＮ２、及び第３直流電流遮断器３０ｃ−１を介しても接続される。
【００３４】
この時、点検対象の第２直流電流遮断器３０ｂ−１〜３０ｂ−２には、電流が流れないため、開状態、及び閉状態のいずれの状態にも制御可能であり、点検を行うことができる。また、図４の構成において、直流電流遮断装置１０が点検状態に制御され、且つ直流送電線路ＬＮ１、又は直流送電線路ＬＮ２に事故が発生した場合、第１直流電流遮断器３０ａ−２を開状態に制御することにより、直流送電線路ＬＮと、交直変換器ＣＶ１とを遮断することができる。ただし、第１直流電流遮断器３０ａ−１〜３０ａ−２、及び第１直流母線２０ａには、直流送電線路ＬＮ１、及び直流送電線路ＬＮ２の２回線分の電流が流れるため、この場合の電流値を考慮して設計することが求められる。
【００３５】
［直流電流遮断装置１０の構成の他の例］
なお、上述した直流電流遮断装置１０の構成は一例であり、これに限られない。例えば、上述では、直流電流遮断装置１０の構成は、直流送電線路ＬＮ１、及び直流送電線路ＬＮ２には、第１直流母線２０ａを経由する送電経路、及び第２直流母線２０ｂを経由する送電経路がそれぞれ設けられ、直流送電線路ＬＮ３、及び直流送電線路ＬＮ４には、第１直流母線２０ａ、又は第２直流母線２０ｂを経由する送電経路の一方が設けられる構成であるが、いずれの直流送電線路ＬＮも、第１直流母線２０ａを経由する送電経路、及び第２直流母線２０ｂを経由する送電経路がそれぞれ設けられる構成であってもよく、直流送電線路ＬＮ１、及び直流送電線路ＬＮ２には、第１直流母線２０ａ、又は第２直流母線２０ｂを経由する送電経路の一方が設けられる構成であってもよい。
【００３６】
［第２直流電流遮断器３０ｂの点検順序］
また、上述では、第２直流電流遮断器３０ｂ−１〜３０ｂ−３がいずれも点検対象である場合について説明したが、これに限られない。例えば、第１直流電流遮断器３０ａ−１〜３０ａ−３のうちいずれか、或いは、第２直流電流遮断器３０ｂ−１〜３０ｂ−３のうちいずれかが、点検対象であってもよい。
【００３７】
［第１の実施形態のまとめ］
以上説明したように、本実施形態の直流電流遮断装置１０は、交直変換器ＣＶ１と、交直変換器ＣＶ２、及び交直変換器ＣＶ３との間において、送電を継続したまま、第１直流電流遮断器３０ａや第２直流電流遮断器３０ｂの保守点検をすることができる。
【００３８】
（第２の実施形態）
以下、図を参照して第２の実施形態について説明する。第２の実施形態では、直流電流遮断装置１０ａが、第１直流電流遮断器３０ａ、及び第２直流電流遮断器３０ｂに代えて、多端子型直流電流遮断器５０を備える。なお、上述した実施形態と、同様の構成については、同一の符号を付して説明を省略する。
【００３９】
図５は、第２の実施形態に係る直流電流遮断装置１０ａの構成の一例を示す図である。直流電流遮断装置１０ａは、例えば、直流電流遮断装置１０が備える第１直流電流遮断器３０ａに代えて、第１多端子型直流電流遮断器５０ａを備え、第２直流電流遮断器３０ｂに代えて、第２多端子型直流電流遮断器５０ｂを備える。第１多端子型直流電流遮断器５０ａと、第２多端子型直流電流遮断器５０ｂとは、同様の構成を有するため、以下、第２多端子型直流電流遮断器５０ｂについて説明する。なお、第１多端子型直流電流遮断器５０ａについては、以降の説明のうち、末尾の符号の「ｂ」を「ａ」に読み替えればよい。
【００４０】
図６は、第２多端子型直流電流遮断器５０ｂの構成の一例を示す図である。第２多端子型直流電流遮断器５０ｂは、例えば、一以上の第１断路器６２ｂ（図示する第１断路器６２ｂ−１〜６２ｂ−３）と、第１断路器６２ｂに応じた数の電流遮断器７０ｂ（図示する電流遮断器７０ｂ−１〜７０ｂ−３）と、第１断路器６２ｂに応じた数の第２断路器６４ｂ（図示する第２断路器６４ｂ−１〜６４ｂ−３）と、第１断路器６２ｂに応じた数の転流回路８０ｂ（図示する転流回路８０ｂ−１〜８０ｂ−３）と、半導体遮断器９０ｂと、第１断路器６２ｂに応じた数のリアクトルＬｂ（図示するリアクトルＬｂ−１〜Ｌｂ−３）と、第１断路器６２ｂに応じた数のダイオードＤｂ（図示するダイオードＤｂ−１〜Ｄｂ−３）とを備える。第１断路器６２ｂ、電流遮断器７０ｂ、及び第２断路器６４ｂの数は、例えば、直流送電線路ＬＮの遮断に用いられる回路数（この一例では、３回路）に応じた数である。
【００４１】
第１断路器６２ｂと、電流遮断器７０ｂと、第２断路器６４ｂとは、第２直流母線２０ｂと、断路器４０との間に直列に接続される。具体的には、第２直流母線２０ｂと、第１断路器６２ｂ−１〜６２ｂ−３の第１端子とが接続され、第１断路器６２ｂ−１〜６２ｂ−３の第２端子と、電流遮断器７０ｂ−１〜７０ｂ−３の第１端子とが、それぞれ接続され、電流遮断器７０ｂ−１〜７０ｂ−３の第２端子と、第２断路器６４ｂ−１〜６４ｂ−３の第１端子とが、それぞれ接続され、第２断路器６４ｂ−１〜６４ｂ−３の第２端子と、断路器４０−１〜４０−３とが、それぞれ接続される。第１断路器６２ｂと、電流遮断器７０ｂと、第２断路器６４ｂとを直列に接続する線路は、「第１線路」の一例である。
【００４２】
半導体遮断器９０ｂと、ダイオードＤｂと、リアクトルＬｂとは、第２直流母線２０ｂと、電流遮断器７０ｂと及び第２断路器６４ｂとの接続点との間に、直列に接続される。具体的には、第２直流母線２０ｂと、半導体遮断器９０ｂの第１端とが接続され、半導体遮断器９０ｂと、ダイオードＤｂ−１、ダイオードＤｂ−２、及びダイオードＤｂ−３とのアノードが接続され、ダイオードＤｂ−１のカソードと、リアクトルＬｂ−１の第１端子とが接続され、ダイオードＤｂ−２のカソードと、リアクトルＬｂ−２の第１端子とが接続され、ダイオードＤｂ−３のカソードと、リアクトルＬｂ−３の第１端子とが接続され、リアクトルＬｂ−１の第２端子と、電流遮断器７０ｂ−１と第２断路器６４ｂ−１との接続点とが接続され、リアクトルＬｂ−２の第２端子と、電流遮断器７０ｂ−２と第２断路器６４ｂ−２との接続点とが接続され、リアクトルＬｂ−３の第２端子と、電流遮断器７０ｂ−３と第２断路器６４ｂ−３との接続点とが接続される。半導体遮断器９０ｂと、ダイオードＤｂと、リアクトルＬｂとを直列に接続する線路は、「第３線路」の一例である。
【００４３】
転流回路８０ｂは、第１断路器６２ｂと電流遮断器７０ｂとの間の箇所から分岐してダイオードＤｂのカソードを接続する線路に設けられる。具体的には、転流回路８０ｂの第１端子は、第１断路器６２ｂと電流遮断器７０ｂとの接続点に接続され、転流回路８０ｂの第２端子は、ダイオードＤｂのカソードとリアクトルＬｂの第１端子との接続点に接続される。転流回路８０ｂが設けられる線路は、「第２線路」の一例である。
【００４４】
上述した接続関係により、ダイオードＤｂは、交直変換器ＣＶ１〜ＣＶ３との間の電圧の高さの関係に応じて、第２直流母線２０ｂから半導体遮断器９０ｂを介して断路器４０の方向に流れる電流を導通させ、及び断路器４０から半導体遮断器９０ｂを介して第２直流母線２０ｂの方向に流れる逆電流を遮断する。
【００４５】
なお、説明の都合上、ダイオードＤｂが１つのダイオードであるように図示しているが、ダイオードＤｂは、直流送電線電圧相当の耐圧を有するように、直列に接続された複数のダイオードによって構成されてもよい。
【００４６】
図７は、転流回路８０ｂの構成の一例を示す図である。転流回路８０ｂは、例えば、複数のダイオード（図示するダイオード８２，８４）と、複数のスイッチング部（スイッチング部８６，８８）と、コンデンサ８９とを備える。スイッチング部８６，８８は、それぞれ、スイッチング素子と、ダイオードとを備える。
【００４７】
スイッチング部８６，８８が備えるスイッチング素子と、ダイオードとは、互いに並列に接続されている。具体的には、ダイオードのカソードと、スイッチング素子のコレクタとが接続され、ダイオードのアノードと、スイッチング素子のエミッタとが接続されている。ダイオード８２のアノードと、スイッチング部８６のコレクタとが互いに接続されている。スイッチング部８８のエミッタと、ダイオード８４のカソードとが互いに接続されている。ダイオード８２のカソードと、スイッチング部８８のコレクタと、コンデンサ８９の正極とが互いに接続されている。スイッチング部８６のエミッタと、ダイオード８４のアノードと、コンデンサ８９の負極とが互いに接続されている。
【００４８】
ダイオード８２のアノードと、スイッチング部８６のコレクタとの接続点は、第１断路器６２ｂと、電流遮断器７０ｂとの接続点に接続されている。スイッチング部８８のエミッタと、ダイオード８４のカソードとの接続点は、ダイオードＤｂのカソードと、リアクトルＬｂとが接続される線路（つまり、第３線路）に接続される。
【００４９】
図８は、半導体遮断器９０ｂの構成の一例を示す図である。半導体遮断器９０ｂは、例えば、互いに直列に接続された複数（図ではｎ個（ｎは、自然数））のスイッチング部９２と、アレスタ９４とを備える。スイッチング部９２は、それぞれ、互いに並列に接続されたスイッチング素子とダイオードとを備える。具体的には、ダイオードのカソードと、スイッチング素子のコレクタとが互いに接続され、ダイオードのアノードと、スイッチング素子のエミッタとが接続されている。スイッチング素子は、例えば、絶縁ゲートバイポーラトランジスタ（以下、ＩＧＢＴ：Insulated Gate Bipolar Transistor）等の半導体スイッチング素子である。ただし、スイッチング素子は、ＩＧＢＴに限定されない。スイッチング素子は、自己消弧を実現可能なスイッチング素子であれば、いかなる素子でもよい。以降の説明では、スイッチング素子がＩＧＢＴである場合について説明する。また、以降の説明において、スイッチング部９２のスイッチング素子のエミッタを、「スイッチング部９２のエミッタ」とも記載し、スイッチング部９２のスイッチング素子のコレクタを、「スイッチング部９２のコレクタ」とも記載する。
【００５０】
半導体遮断器９０ｂにおいて、あるスイッチング部９２のエミッタと、当該スイッチング部９２に隣り合うスイッチング部９２のコレクタとが接続されている。また、半導体遮断器９０ｂの端部（第１端）に位置するスイッチング部９２のコレクタは、第２直流母線２０ｂに接続される。また、半導体遮断器９０ｂの他の端部（第２端）に位置するスイッチング部９２のエミッタは、ダイオードＤｂのアノードに接続されている。
【００５１】
アレスタ９４は、半導体遮断器９０ｂに対して並列に接続されている。アレスタ９４は、半導体遮断器９０ｂが開状態（つまり、スイッチング素子がオフの状態）に制御されたことにより発生するサージエネルギーを吸収する。
【００５２】
なお、半導体遮断器９０ｂと、アレスタ９４とは、別体によって構成されてもよい。
【００５３】
制御装置は、第１断路器６２ｂ、電流遮断器７０ｂ、第２断路器６４ｂ、半導体遮断器９０ｂ、及び転流回路８０ｂの制御等を行う。
【００５４】
［直流電流遮断装置１０ａの動作（通常状態→遮断）］
図６に戻り、直流電流遮断装置１０ａによって、交直変換器ＣＶ１と、交直変換器ＣＶ２や交直変換器ＣＶ３とが電気的に導通されている状態（つまり、通常状態）において、直流電流遮断装置１０ａが備える各部は以下のような状態となっている。
・第１断路器６２ｂ：閉状態
・電流遮断器７０ｂ：閉状態
・第２断路器６４ｂ：閉状態
・半導体遮断器９０ｂ：開状態（スイッチング素子がオフの状態）
・転流回路８０ｂ：スイッチング素子がオフの状態
・転流回路８０ｂが備えるコンデンサ８９：充電された状態
【００５５】
図６に示す通り、通常状態において、第２直流母線２０ｂから断路器４０の方向に流れる電流、又は断路器４０から第２直流母線２０ｂの方向に流れる電流は、第１断路器６２ｂ、電流遮断器７０ｂ、及び第２断路器６４ｂ（つまり、第１線路）を介して流れる。また、図７に示す通り、通常状態において、スイッチング部８６，スイッチング部８８は、オフ状態に制御される。
【００５６】
図９は、第２の実施形態に係る第２多端子型直流電流遮断器５０ｂの構成の一例を示す図である。上述したように、直流送電線路ＬＮに事故が発生している場合、遮断対象の直流送電線路ＬＮに最も近い多端子型直流電流遮断器５０の、遮断対象の直流送電線路ＬＮに係る回路の断路器、及び電流遮断器が開状態に制御される。
【００５７】
この一例では、直流送電線路ＬＮ１に事故が発生しており、第２多端子型直流電流遮断器５０ｂのうち、１回路に係る第１断路器６２ｂ−１、電流遮断器７０ｂ−１１が開状態に制御される。具体的には、第２多端子型直流電流遮断器５０ｂは、遮断状態に係る「第１状態」、「第２状態」、及び「第３状態」への遷移を経て、第１断路器６２ｂ−１、電流遮断器７０ｂ−１、及び第２断路器６４ｂ−１が開状態に制御される。以下、各状態の詳細について説明する。
【００５８】
［第１状態］
まず、遮断状態に係る第１状態において、第２多端子型直流電流遮断器５０ｂの１回路に係る断路器、及び直流電流遮断器のうち、第１断路器６２ｂ−１と、電流遮断器７０ｂ−１とが、制御装置によって開状態に制御される。ただし、第１断路器６２ｂ−１と、電流遮断器７０ｂ−１とは、開状態に制御されて接点を単に切り離しても接点間にアークが生じるため、電気的に遮断することができない。
【００５９】
図１０は、スイッチング素子がオンの状態に制御された転流回路８０ｂの動作を模式的に示す図である。この状態で、制御装置は、転流回路８０ｂを動作させることにより、転流回路８０ｂが備えるスイッチング部８６，８８をオンの状態に制御する。すると、転流回路８０ｂは、コンデンサ８９に蓄電された電荷を放電し、コンデンサ８９の正極からスイッチング部８８、リアクトルＬｂ−１、電流遮断器７０ｂ−１、及び転流回路８０ｂのスイッチング部８６を介してコンデンサ８９の負極までを電流が還流する回路を形成する。図９に示す通り、この回路が形成されるのは、リアクトルＬｂ−１に対して上述した向きによってダイオードＤｂ−１が接続されていることにより、断路器４０−１や第２直流母線２０ｂから半導体遮断器９０ｂの方向に流れる電流が遮断されるためである。この回路を還流する電流は、電流遮断器７０ｂ−１において第２直流母線２０ｂから断路器４０−１の方向に流れる電流と逆方向の電流であるため、電流遮断器７０ｂ−１に生じたアークを打ち消すように作用する。この結果、電流遮断器７０ｂ−１に流れる電流がゼロになり、電流遮断器７０ｂ−１が電気的な遮断状態となる。
【００６０】
［第２状態］
図１１は、第２状態の第２多端子型直流電流遮断器５０ｂの構成の一例を示す図である。第２状態は、電流遮断器７０ｂ−１が遮断状態された状態である。第２状態において、制御装置は、電流遮断器７０ｂ−１が機械的にも電気的にも開状態に制御された場合、転流回路８０ｂ（スイッチング部８６，８８）をオフの状態に制御する。この場合、第２直流母線２０ｂから断路器４０の方向に流れる電流は、ダイオード８２、コンデンサ８９、及びダイオード８４を流れ、コンデンサ８９を充電する。コンデンサ８９が充電されることにより、転流回路８０ｂは、次回の動作において、還流を発生させることができる。
【００６１】
また、第２状態において、制御装置は、半導体遮断器９０ｂを閉状態（つまり、スイッチング素子をオンの状態）に制御する。図１２は、閉状態に制御された半導体遮断器９０ｂの動作の一例を模式的に示す図である。スイッチング素子がオン状態に制御されることにより、半導体遮断器９０ｂは、スイッチング素子を介して、第２直流母線２０ｂからダイオードＤｂ１のアノードの方向の電流（つまり、ダイオードＤｂ１に順電流）を流すことができる。また、半導体遮断器９０ｂは、ダイオードを介して、ダイオードＤｂ１から第２直流母線２０ｂの方向の電流（つまり、ダイオードＤｂ１の逆電流）を流すことができる。
【００６２】
図１１に戻り、転流回路８０ｂがオフの状態に制御されているため、第２直流母線２０ｂと断路器４０との間を流れる電流は、半導体遮断器９０ｂ、ダイオードＤｂ−１、リアクトルＬｂ−１、及び第２断路器６４ｂ−１を介して流れる第１経路ｒｔ１と、第１断路器６２ｂ−１、転流回路８０ｂ−１、リアクトルＬｂ−１、及び第２断路器６４ｂ−１を介して流れる第２経路ｒｔ２とに分岐する。
【００６３】
ここで、第１経路ｒｔ１と、第２経路ｒｔ２とでは、転流回路８０ｂ−１のコンデンサ８９が逆電圧で入るため第２経路ｒｔ２の方が、電流が流れにくい。このため、第２経路ｒｔ２を流れる電流は、徐々に第１経路ｒｔ１に遷移する。第２経路ｒｔ２を流れる電流が、第１経路ｒｔ１に遷移することにより、第１断路器６２ｂ−１には電流が流れなくなるため、第１断路器６２ｂ−１は、機械的にも電気的にも開状態に制御される。
【００６４】
［第３状態］
図１３は、第３状態の第２多端子型直流電流遮断器５０ｂの構成の一例を示す図である。第３状態は、第１断路器６２ｂ−１が機械的にも電気的にも開状態に制御された状態である。半導体遮断器９０ｂの動作を模式的に示す図である。制御装置は、第１断路器６２ｂ−１が機械的にも電気的にも開状態に制御された場合、半導体遮断器９０ｂを、閉状態（つまり、スイッチング素子をオンの状態）に制御する。半導体遮断器９０ｂが開状態に制御されることに伴い発生するサージエネルギーは、アレスタ９４によって吸収される。制御装置は、アレスタ９４によってサージが十分に吸収された場合、第２断路器６４ｂ−１を開状態に制御する。この時、第１経路ｒｔ１を流れていた電流は、アレスタ９４によって吸収されたため、第２断路器６４ｂ−１は、即座に機械的にも電気的にも開状態に制御される。これにより、第２多端子型直流電流遮断器５０ｂは、遮断状態に係る「第１状態」、「第２状態」、及び「第３状態」への遷移を経て、第１断路器６２ｂ−１、電流遮断器７０ｂ−１、及び第２断路器６４ｂ−１が開状態に制御され、事故が発生した直流送電線路ＬＮ１を遮断することができる
【００６５】
［直流電流遮断装置１０ａの動作（点検時）］
点検状態において、直流電流遮断装置１０ａが備える各部は以下のような状態となっている。
・点検に係る第１多端子型直流電流遮断器５０ａ：開閉可能（無電流状態）
・その他の第１多端子型直流電流遮断器５０ａ：閉状態（通常状態と同様）
・点検に係る第２多端子型直流電流遮断器５０ｂ：開閉可能（無電流状態）
・その他の第２多端子型直流電流遮断器５０ｂ：閉状態（通常状態と同様）
・点検に係る第１多端子型直流電流遮断器５０ａ、又は第２多端子型直流電流遮断器５０ｂに接続される断路器４０：閉状態
・その他の断路器４０：開状態（通常状態と同様）
・第３直流電流遮断器３０ｃ：閉状態
【００６６】
なお、同一回路の第１断路器６２ａ、電流遮断器７０ａ、及び第２断路器６４ａと、第１断路器６２ｂ、電流遮断器７０ｂ、及び第２断路器６４ｂとは、同時に点検されないものとする。
【００６７】
図１３において、点検対象の第１多端子型直流電流遮断器５０ａの回路、又は第２多端子型直流電流遮断器５０ｂの回路が開状態に制御された場合における、交直変換器ＣＶ１〜ＣＶ３と、直流送電線路ＬＮ１〜ＬＮ４と、直流電流遮断装置１０ａとの接続は、図３において説明した直流電流遮断装置１０の接続と同様であるため、説明を省略する。
【００６８】
［第２の実施形態のまとめ］
以上説明したように、本実施形態の直流電流遮断装置１０ａは、交直変換器ＣＶ１と、交直変換器ＣＶ２、及び交直変換器ＣＶ３との間において、送電を継続したまま、第１多端子型直流電流遮断器５０ａや第２多端子型直流電流遮断器５０ｂの保守点検を可能にしつつ、遮断状態において、各回路が共通の半導体遮断器９０を用いるため、部品点数を削減することができる。
【００６９】
［転流回路８０の他の構成について］
なお、上述では、転流回路８０ｂがダイオード８２，８４と、スイッチング部８６，８８を備える場合について説明したが、これに限られない。図１４は、転流回路８０ｂの他の構成の一例を示す図である。転流回路８０ｂは、複数のスイッチング部（スイッチング部８３，８５，８６，８８）と、コンデンサ８９とを備える。スイッチング部８３，８５，８６，８８は、それぞれ、スイッチング素子と、ダイオードとを備える。スイッチング部８３，８５，８６，８８が備えるスイッチング素子と、ダイオードとは、互いに並列に接続されている。具体的には、ダイオードのカソードと、スイッチング素子のコレクタとが接続され、ダイオードのアノードと、スイッチング素子のエミッタとが接続されている。
【００７０】
スイッチング部８５のエミッタと、スイッチング部８３のコレクタとが互いに接続されている。スイッチング部８８のエミッタと、スイッチング部８６のコレクタとが互いに接続されている。スイッチング部８５のコレクタと、スイッチング部８８のコレクタと、コンデンサ８９の正極とが互いに接続されている。スイッチング部８３のエミッタと、スイッチング部８６のエミッタと、コンデンサ８９の負極とが互いに接続されている。
【００７１】
制御装置は、スイッチング部８３，８５のオン状態、及びオフ状態を一致させつつ、スイッチング部８６，８８のオン状態、及びオフ状態を一致させることにより、上述した転流回路８０ｂの動作と同様の動作を実現することができる。
【００７２】
［交直変換器ＣＶと直流電流遮断装置１０との他の構成］
また、上述では、交直変換器ＣＶ２と、交直変換器ＣＶ３とが、２回線送電される場合において、直流電流遮断装置１０、１０ａが用いられる際の構成を一例に説明したが、これに限られない。図１５は、２回線送電以外の場面における直流電流遮断装置１０ａの構成の一例を示す図である。図１５において、交直変換器ＣＶ１と、交直変換器ＣＶ２２とは、交直変換器ＣＶ１の直流端子ＣＮ１と、直流電流遮断装置１０ａとが接続され、直流電流遮断装置１０ａと、交直変換器ＣＶ２１とが、直流送電線路ＬＮ２によって接続され、直流電流遮断装置１０ａと、交直変換器ＣＶ２２とが、直流送電線路ＬＮ１によって接続され、直流電流遮断装置１０ａと、交直変換器ＣＶ３１とが、直流送電線路ＬＮ３によって接続され、直流電流遮断装置１０ａと、交直変換器ＣＶ３２とが、直流送電線路ＬＮ４によって接続される。これにより、直流電流遮断装置１０ａは、複数の交直変換器ＣＶとの間において、送電を継続したまま、第１直流電流遮断器３０ａや第２直流電流遮断器３０ｂの保守点検をすることができる。
【符号の説明】
【００７３】
１０、１０ａ…直流電流遮断装置、２０ａ…第１直流母線、２０ｂ…第２直流母線、３０ａ、３０ａ−１、３０ａ−２、３０ａ−３…第１直流電流遮断器、３０ｂ、３０ｂ−１、３０ｂ−２、３０ｂ−３…第２直流電流遮断器、３０ｃ、３０ｃ−１、３０ｃ−２、３０ｃ−３、３０ｃ−４…第３直流電流遮断器、４０、４０−１、４０−２、４０−３…断路器、５０…多端子型直流電流遮断器、５０ａ…第１多端子型直流電流遮断器、５０ｂ…第２多端子型直流電流遮断器、６２ａ、６２ｂ、６２ｂ−１、６２ｂ−２、６２ｂ−３…第１断路器、６４ａ、６４ｂ、６４ｂ−１、６４ｂ−２、６４ｂ−３…第２断路器、７０ａ、７０ｂ、７０ｂ−１、７０ｂ−２、７０ｂ−３…電流遮断器、８０、８０ｂ、８０ｂ−１、８０ｂ−２、８０ｂ−３…転流回路、８２、８４…ダイオード、８３、８５、８６、８８…スイッチング部、８９…コンデンサ、９０、９０ｂ…半導体遮断器、９２…スイッチング部、９４…アレスタ、ＣＶ、ＣＶ１、ＣＶ２、ＣＶ３、ＣＶ２１、ＣＶ２２、ＣＶ３１、ＣＶ３２…交直変換器、Ｄｂ、Ｄｂ１、Ｄｂ−１、Ｄｂ−２、Ｄｂ−３…ダイオード、Ｌｂ、Ｌｂ−１、Ｌｂ−２、Ｌｂ−３…リアクトル、ＬＮ、ＬＮ１、ＬＮ２、ＬＮ３、ＬＮ４…直流送電線路
【図１】
2020213027.tif 000003
【図２】
2020213027.tif 000004
【図３】
2020213027.tif 000005
【図４】
2020213027.tif 000006
【図５】
2020213027.tif 000007
【図６】
2020213027.tif 000008
【図７】
2020213027.tif 000009
【図８】
2020213027.tif 000010
【図９】
2020213027.tif 000011
【図１０】
2020213027.tif 000012
【図１１】
2020213027.tif 000013
【図１２】
2020213027.tif 000014
【図１３】
2020213027.tif 000015
【図１４】
2020213027.tif 000016
【図１５】
2020213027.tif 000017
【国際調査報告】
2020213027.tif 000018
2020213027.tif 000019